(57)【特許請求の範囲】
【請求項１】
透光性部材よりなる長尺な導光体と、該導光体の端面に対向配置されるＬＥＤと、前記導光体に並設されたリフレクタ部材とを有し、
前記導光体は、その側周面に、読取面側に向けて光を反射する第１反射面と、前記リフレクタ部材に向けて光を反射する第２反射面を有するとともに、前記反射面のそれぞれに対向する第１光出射面及び第２光出射面を有してなる読取用線状光源装置において、
前記リフレクタ部材は、前記第２光出射面に対して平行に延びて読取面側に向けて光を反射する反射部と、該反射部の両端部に一体形成された支持部とを備え、
該支持部は、前記導光体の両端を係合支持する係合部を有することを特徴とする読取用線状光源装置。
【請求項２】
前記導光体は、前記リフレクタ部材の係合部に弾性的に押圧支持されていることを特徴とする請求項１に記載の読取用線状光源装置。
【発明の詳細な説明】
【技術分野】
【０００１】
この発明は線状光源装置に関するものであり、特に、ファクシミリ、複写機、イメージスキャナー、バーコードリーダ等に使用される画像読取装置の照明用光源として利用される読取用線状光源装置に係わるものである。
【背景技術】
【０００２】
近年、上述の画像読取装置において、ＬＥＤの出力向上と受光素子としてのＣＣＤ型センサの高感度化により、小型で低消費電力のＬＥＤを利用した線状光源装置が読取装置の光源として使用されるようになってきていて、例えば、特開２０１４−９０４０３号公報（特許文献１）にその技術が開示されている。
図５に、この従来技術の読取用線状光源装置が示されている。
【０００３】
図５（Ａ）において、読取用線状光源装置５０は、ＬＥＤ５１と、棒状の導光体５２とを有し、図５（Ｃ）に示すように、このＬＥＤ５１は、この導光体５２の長手方向（軸方向）端面に対向するように配置されている。そして、導光体５２に平行に延びるようにリフレクタ部材６０が並設されている。
図５（Ｂ）に示すように、導光体５２の側周面には、長手方向に沿って延びて原稿読取面７０に向けて光を反射する第１反射面５３と、リフレクタ部材６０に向けて光を反射する第２反射面５４とが形成されるとともに、これらの反射面５３、５４にそれぞれ対向する第１光出射面５５及び第２光出射面５６が形成されている。
【０００４】
上記構成において、図５（Ｃ）に示すように、ＬＥＤ５１より発せられた光は、導光体５２の長手方向端面（入射端面）から導光体５２の内部に入射し、その内部で反射を繰り返しながら軸方向に進行する。導光体５２の内部を進行する光は、一部が第１反射面５３または第２反射面５４に反射されて、それぞれ第１光出射面５５および第２光出射面５６から導光体５２の長手方向に対して垂直な方向に出射される。
図５（Ｂ）に示すように、第１光出射面５５から出射した光は、原稿面７０に向かい、一方、第２光出射面５６から出射した光は、これに対向配置されたリフレクタ部材６０により反射されて原稿面７０に向かうものである。
【０００５】
ところで、このような読取用線状光源装置においては、導光体５２とリフレクタ部材６０は、撮像素子用光透過部８１が形成された基台８０に、該光透光部８１を挟んで対向する位置に個別に取り付けられている。
しかして、この種の読取用線状光源装置では、原稿読取面７０での照度分布の状態は、（１）導光体５２の第１光出射面５５を出た光が直接原稿読取面７０を照らす光と、（２）導光体５２の第２光出射面５６を出た光が対向するリフレクタ部材６０で反射された光が間接的に原稿読取面７０を照らす光と、によって決まる。従って、導光体５２の光出射面５５，５６の形成位置と角度、及び、リフレクタ部材６０の反射面の形成位置や傾斜角度によって、原稿読取面での照度分布が決定される。
【０００６】
しかしながら、上記先行技術においては、導光体５２は導光体支持台５８に設置された後に基台８０に取り付けられ、また一方、リフレクタ部材６０はリフレクタ支持台６１に設置されたのち、前記基台８０に取り付けられている。
このように複数の部材を個別に組み付けることで、導光体５２とリフレクタ部材６０の最適配置に対して配置関係にバラツキが発生しやすく、原稿読取面での配光分布特性がバラつきやすい。これにより、製品製造の歩留まりを悪化させる一因となっていた。
【先行技術文献】
【特許文献】
【０００７】
【特許文献１】特開２０１４−９０４０３号公報
【発明の概要】
【発明が解決しようとする課題】
【０００８】
この発明は、上記従来技術の問題点に鑑みて、導光体と、該導光体の端面に対向配置されるＬＥＤと、前記導光体に並設されたリフレクタ部材とを有し、前記導光体は、その側周面に、読取面側に向けて光を反射する第１反射面と、前記リフレクタ部材に向けて光を反射する第２反射面を有するとともに、前記反射面のそれぞれに対向する第１光出射面及び第２光出射面を有してなる読取用線状光源装置において、第１光出射面からの光と、第２出射面から出射してリフレクタ部材で反射される光とが、原稿読取面において精度よく一致して配光分布特性にバラつきが生じないようにした構造を提供せんとするものである。
【課題を解決するための手段】
【０００９】
上記課題を解決するために、この発明に係る読取用線状光源装置は、前記リフレクタ部材が、前記第２光出射面に対して平行に延びて読取面側に向けて光を反射する反射部と、該反射部の両端部に一体形成された支持部とを備え、該支持部は、前記導光体の両端を係合支持する係合部を有することを特徴とする。
また、前記導光体は、前記リフレクタ部材の係合部に弾性的に押圧支持されていることを特徴とする。
【発明の効果】
【００１０】
この発明の読取用線状光源装置によれば、リフレクタ部材において反射部と支持部とを一体構造としてあるので、導光体をこの支持部の係合部に係合支持させることで、導光体と反射部との位置合わせが自然となされ、両者の相対位置に取り付けに伴う位置ずれが発生することがない。そのために、原稿読取面での配光分布特性にバラつきが生じることを防止できる。
また、導光体はだ弾性力によって支持部の係合部に押圧支持されるので、その取り付け作業が極めて簡単である。
【図面の簡単な説明】
【００１１】
【図１】本発明の読取用線状光源装置の斜視図。
【図２】図１の側面図。
【図３】本発明の他の実施例の部分斜視図。
【図４】図３の別の方向からの部分拡大斜視図。
【図５】従来の読取用線状光源装置で、（Ａ）は平面図、（Ｂ）はＢ−Ｂ断面図、（Ｃ）はＣ−Ｃ断面図。
【発明を実施するための形態】
【００１２】
図１は、本発明の読取用線状光源装置１を示す斜視図であり、図２はその側面拡大図である。
図１に示すように、透光性部材よりなる長尺な棒状の導光体２の端面（この実施例では両端面）に対向配置されて、ＬＥＤ３が取付け部材４によって基台１０上に配設されている。この導光体は、一般的には円柱形状をなすものであるが、楕円柱形状であってもよい。
一方、リフレクタ部材５が基台１０上に固定されていて、このリフレクタ部材５は、導光体２と平行に延びて該導光体２からの光を原稿読取面（不図示）に向けて反射する反射部６と、その両端において略直交する方向に延在して一体的に設けられた支持部７，７とからなる。この支持部７，７は、前記導光体２の両端部を支持するためのものであり、その長さは等しく、かつ両支持部７，７の離間距離はほぼ導光体２の長さに等しい。
前記リフレクタ部材５は、支持部７において基台１０上にネジ止めされて固定される。
【００１３】
図２に示すように、支持部７には反射部６と対向する端部において、凹部からなる係合部８が形成されている。この係合部８は、概略導光体２の断面形状に沿った形状の凹部からなり、その内面には適宜数の係合突起８ａが形成されている。
導光体２は、この支持部７，７の係合部８，８内に挿入されて係合支持されることにより、導光体２とリフレクタ部材５とは平行な位置関係に配置される。
また、導光体２はその両端支持部７，７を貫通する形で係合支持されるので、導光体２が、湿度等により長さ方向に伸縮することがあっても支持部７，７によって拘束されることがないので、導光体２とリフレクタ部材５の位置ずれが生じることがない。
導光体２にはバネ状の固定部材９が当接されて、その両端部９ａ，９ｂが支持部７の係止部７ａ，７ｂに係止されていて、この固定部材９の弾性力によって導光体２を係合部８に押圧当接して係合支持している。前記導光体２の外周には固定突起２ａが形成されていて、導光体２が支持部７の係合部８に係合し、固定部材９の弾性力によって押圧されたとき、この固定突起２ａも支持部７に押圧当接されて、回転止めとして機能する。
【００１４】
こうしてリフレクタ部材５の支持部７，７に固定支持された導光体２の両端面に、図１の説明で述べたように、ＬＥＤ３，３が対向配置されている。このＬＥＤ３は導光体２の一端面のみに配置されるものであってもよい。
なお、この実施例では導光体２の後部側、即ち、リフレクタ部材５の反射部６とは反対側に補助反射部材１１が設けられていて、この補助反射部材１１は白色樹脂などで構成され、導光体２から漏れ出た光を集光して拡散反射する機能を有する。
【００１５】
導光体２には、図５の従来例で説明したと同様に、第１反射面２１、第２反射面２２、第１光出射面２３、第２光出射面２４が形成されており、上記構造により、導光体２の第１光出射面２３が原稿読取面（不図示）に向かい、第２光出射面２４が反射部６に対向する形で、かつ、導光体２と反射部６との適正な離間距離を保って、導光体２がリフレクタ部材５に固定される。
【００１６】
図３，４に他の実施例が示されていて、図１，２のものとは、導光体２の固定部材が相違する。
この実施例では、図１で前述したＬＥＤ取付け部材４が固定部材としても機能するものであって、その取付け部材４には、固定部材として一対のバネ状固定片１２，１３が設けられている。取付け部材４が基台１０にネジ止めされると、一方のバネ状固定片１２は導光体２に、他方の固定片１３は導光体２の固定突起２ａに当接して、これらを弾性力によって支持部７に押圧当接するものである。
これにより、導光体２は支持部７の係合部８に係合支持されるとともに、その固定突起２ａが支持部７に当接して回転止めとして機能する。また、固定片１２，１３がＬＥＤ取付け部材４に一体形成されていることで、ＬＥＤ３の放熱フィンとしても機能する。
勿論この実施例においても、ＬＥＤ３は導光体２の一端面にのみ設けるものであってもよく、その場合には、どちらか一方の取付け部材４にのみＬＥＤ３を取り付けるようにすればよい。
【００１７】
以上のように、本発明においては、導光体に並設されたリフレクタ部材を、導光体と平行に延びる反射部と、これと一体に延設された支持部とより構成し、該支持部の端部に形成された係合部に導光体を当接係合して支持したので、導光体と反射部とが所定の間隔を保って固定され、原稿読取面において配光分布特性にバラつきが生じることを防止できるという効果を奏するものである。
また、導光体の固定を弾性力により行うことで、その固定作業が簡略化できる。
【符号の説明】
【００１８】
１      読取用線状光源装置
２      導光体
２ａ    回転防止用突起
２１    第１反射面
２２    第２反射面
２３    第１光出射面
２４    第２光出射面
３      ＬＥＤ
４      ＬＥＤ取付け部材
５      リフレクタ部材
６      反射部
７      支持部
８      係合部
８ａ    係合突起
９      固定部材
１０    基台
１２，１３  バネ状固定片
【図１】
0006398571.tif 000002
【図２】
0006398571.tif 000003
【図３】
0006398571.tif 000004
【図４】
0006398571.tif 000005
【図５】
0006398571.tif 000006